(57)【要約】【課題】生地本体の一側面にリングテープを縫着することなくガイド環を取着できるようにして、面倒な従来の作業を払拭し製作時間の短縮並びに製作コストの大幅な低廉を可能としたローマンシエードのカーテン生地を提供する。【解決手段】生地本体１が織物生地からなり吊り下げて使用されるローマンシエードのカーテン生地２０であって、前記生地本体１の一側面１ａに上下方向に沿って複数本の縦方向を向く糸２ａが束としてその一側面１ａ側へ浮き上がるように形成される浮糸部２を複数設け、該各浮糸部２に昇降コード１５を挿通するためのガイド環７を着脱自在に取着した構成からなる。【選択図】図４
2010029271.tif 000002
【特許請求の範囲】
【請求項１】
生地本体が織物生地からなり該生地本体を吊り下げて使用されるローマンシエードのカーテン生地であって、
前記生地本体の一側面に上下方向に沿って複数本の縦方向を向く糸が束としてその一側面側へ浮き上がるように形成される浮糸部を複数設け、前記各浮糸部に昇降コードを挿通するためのガイド環を着脱自在に取着したことを特徴とするローマンシエードのカーテン生地。
【請求項２】
生地本体がレース生地からなり該生地本体を吊り下げて使用されるローマンシエードのカーテン生地であって、
前記生地本体の一側面に上下方向に沿って複数本の縦方向を向く柄糸が束としてその一側面側へ浮き上がるように形成される浮糸部を複数設け、前記各浮糸部に昇降コードを挿通するためのガイド環を着脱自在に取着したことを特徴とするローマンシエードのカーテン生地。
【発明の詳細な説明】
【技術分野】
【０００１】
この発明は、カーテン生地を昇降動させるための昇降コードを挿通するガイド環を簡単に取着できるようにして製作コストの低廉を図ったローマンシエードのカーテン生地に関するものである。
【背景技術】
【０００２】
従来のローマンシエードは、カーテン生地として例えば各種のデザインが施された織物生地またはレース生地が用いられ、これらを所定の寸法に裁断して使用されている。そして、該裁断された織物生地又はレース生地である生地本体における裏面に、上下方向に沿って縫着手段により複数本のリングテープを固定している。これら各リングテープには、その長手方向すなわち上下方向に沿って昇降コードを挿通してガイドする複数のガイド環が等間隔に取着されている。これらガイド環も、同様に縫着手段によりリングテープの一側面に取着されている（例えば、特許文献１参照。）。
【０００３】
【特許文献１】特開２００３−２３５７１９号公報（第３−４頁段落００１２、図１）
【発明の開示】
【発明が解決しようとする課題】
【０００４】
しかしながら、前記特許文献１のようなローマンシエードのカーテン生地にあっては、ガイド環を取着するにためにリングテープを用意し、該リングテープの一側面に縫着手段により複数のガイド環を取着し、更に、これらガイド環が取着された複数本のリングテープを生地本体の一側面に上下方向に沿って縫着しなければならない。このように、リングテープに対してガイド環をまた生地本体に対してリングテープをそれぞれ縫着するといった多くの手間の掛かる作業を強いられることから、その作業が極めて面倒であって、多くの作業時間を費やすばかりか、これらに掛かる費用も高くなっている。よって、結果的にローマンシエードの製作コストが非常に高くつくという重大な課題が有る。また、これは、ローマンシエードを広く世に普及させる上において解決すべき課題の一つである。
【０００５】
そこで、本発明は上記課題に鑑みてなされたもので、生地本体の一側面にリングテープを縫着することなくガイド環を簡単に取着できるようにして、面倒な従来の作業を払拭し製作時間の短縮並びに製作コストの大幅な低廉を可能としたローマンシエードのカーテン生地を提供することを目的とするものである。
【課題を解決するための手段】
【０００６】
かかる目的を達成するため本発明に係るローマンシエードのカーテン生地は、生地本体が織物生地からなり該生地本体を吊り下げて使用されるローマンシエードのカーテン生地であって、前記生地本体の一側面に上下方向に沿って複数本の縦方向を向く糸が束としてその一側面側へ浮き上がるように形成される浮糸部を複数設け、前記各浮糸部に昇降コードを挿通するためのガイド環を着脱自在に取着したことを特徴とする。
【０００７】
また、ローマンシエードのカーテン生地は、生地本体がレース生地からなり該生地本体を吊り下げて使用されるローマンシエードのカーテン生地であって、前記生地本体の一側面に上下方向に沿って複数本の縦方向を向く柄糸が束としてその一側面側へ浮き上がるように形成される浮糸部を複数設け、前記各浮糸部に昇降コードを挿通するためのガイド環を着脱自在に取着したことを特徴とする。
【０００８】
前記ガイド環としては、浮糸部に着脱自在に掛け止めして取り付けられるようにその形状が選ばれる。例えば、略Ｓの字状に形成し、下側の下部空間部に浮糸部の糸を挿通し、上部空間部に昇降コードを挿通するようにしたガイド環が使用される。
【発明の効果】
【０００９】
本発明に係るローマンシエードのカーテン生地は、生地本体が織物生地の場合、生地本体の一側面に上下方向に沿って複数本の縦方向を向く糸が束としてその一側面側へ浮き上がるように形成される浮糸部を複数設け、該各浮糸部に昇降コードを挿通するためのガイド環を着脱自在に取着した。また、生地本体がレース生地の場合、生地本体の一側面に上下方向に沿って複数本の縦方向を向く柄糸が束としてその一側面側へ浮き上がるように形成される浮糸部を複数設け、該各浮糸部に昇降コードを挿通するためのガイド環を着脱自在に取着した。このように、生地本体にガイド環を取着するための浮糸部を直接形成するようにしたので、ガイド環に該浮糸部の糸を挿通するのみで該ガイド環が取着できる。
【００１０】
よって、本発明は、従来のようにガイド環をリングテープに縫着したり、該リングテープを生地本体の上下方向に沿って縫着するといった面倒な作業を一切必要としないことから、カーテン生地の製作が極めて容易であって楽になる。しかも、その製作時間も大幅に短縮されるばかりか、製作コストも低廉になしえ、引いては、この種のローマンシエードの普及に際し絶大な効果を有する。
【発明を実施するための最良の形態】
【００１１】
以下、本発明に係るローマンシエードのカーテン生地の実施の形態について図面に基づき詳しく説明する。この実施の形態で示されるローマンシエードは、昇降コードを巻き取る巻取りドラムを備えたチエーン式のものである。なお、本発明は、この方式のローマンシエードに限られるものではない。図１は本発明に係る生地本体の裏面斜視図、図２（イ）は生地本体裏面の一部拡大斜視図、図２（ロ）は同一部拡大断面図である。生地本体としては、織物生地とレース生地のいずれであっても本発明は適用できるが、まず、織物生地特に平織物生地について説明する。
【００１２】
図１に示されカーテン生地となる生地本体１は、吊るしたとき上下方向すなわち縦方向に沿って縦糸が織られ、該上下方向と直交する水平方向すなわち横方向に沿って横糸が織られている。そして、図示は省略するが、生地本体１の表面に各種デザインの柄が施される。一方、生地本体１の一側面すなわち裏面１ａに上下方向に沿って後記するガイド環７を取着するため複数の浮糸部２が等間隔に複数設けられている。これら上下方向の浮糸部群３は、生地本体１の横幅寸法に合わせて複数本列設される。また、生地本体１における裏面１ａの上端縁に沿って雌型の貼り合せファスナー４が固着される。該雌型の貼り合せファスナー４は、後記する吊り杆２２の一側面に貼着された雄型の貼り合せファスナー２３に剥離自在に貼着される。これに対し、生地本体１の下端部にその長手方向に沿って袋状部５が成形され、該袋状部５に生地本体１が皺のできないように綺麗に張られるためのウエイトバー６が内装される。
【００１３】
前記各浮糸部２は、図２（イ）（ロ）に示すように一部の縦糸２ａを所定の縦幅に合わせて飛ばし、その部位のみ縦糸２ａを束として裏面１ａ側へ浮き上がらせて横糸２ｂと交絡しないようにしてある。この浮糸部２は、ガイド環７に対する強度が保持されるように縦糸２ａの太さ若しくは本数が選定される。これにより、浮糸部２にあっては、該浮糸部２を構成する束としての複数の縦糸２ａと生地本体１との間に横隙間Ｓが形成される。この横隙間Ｓに、後記するガイド環７が挿通して取着されることになる。
【００１４】
ガイド環７は、合成樹脂材により形成され、図３に拡大して示すように平面略Ｓの字状に形成される。更に詳しく説明すると、中央よりやや下方に直杆部８が設けられ、その一端に該直杆部８を直径として上方へ半円弧状に湾曲して伸びる上湾曲杆部９ａが設けられる。該上湾曲杆部９ａの先端部に内側へ折れ曲がりかつ直杆部８と平行な折曲杆部１０が設けられ、該直杆部８と折曲杆部１０との間に後記する昇降コード１５を上湾曲杆部９ａで囲まれる上部空間部１１ａに挿通するための上部隙間１２ａが設けられる。一方、前記直杆部８の他端に、該直杆部８を直径として下方へ半円弧状に湾曲して伸びる下湾曲杆部９ｂが設けられる。該下湾曲杆部９ｂの先端部は直杆部８の一端に接近して設けられ、その間に前記浮糸部２の縦糸２ａを下湾曲杆部９ｂで囲まれる下部空間部１１ｂに挿通するための下部隙間１２ｂが設けられている。この下湾曲杆部９ｂの内周縁には、挿通された縦糸２ａの抜け止めを図る返し片１３が突設されている。
【００１５】
このようにして形成されたガイド環７は、図４に示すように生地本体１における裏面１ａの各浮糸部２に宛がい、該浮糸部２における複数の縦糸２ａの束を下部隙間１２ｂから下部空間部１１ｂに挿通させる。挿通された複数の縦糸２ａは、返し片１３により簡単に抜け出ないようになっている。これにより、各ガイド環７が、各浮糸部２に取着され、しかも、吊り下げられる生地本体１に対して直交すなわち水平に位置することになる。換言すると、上部空間部１１ａを含む面が上下方向に対し直交することになり、昇降コード１５が挿通し易くなっている。また、複数の縦糸２ａが返し片１３により簡単に抜けないので、ガイド環７も無用に脱落することは無い。
【００１６】
そして、生地本体１の裏面１ａの上下方向に沿って複数本設けられた各ガイド環群１４に昇降コード１５を挿通する。該昇降コード１５は、通常、生地本体１の縦寸法よりも長く形成されるが、例えば、最小寸法として生地本体１の縦寸法とほぼ同じ寸法になるようにしても良い。また、昇降コード１５の上端と下端には係止具１６が設けられる。該係止具１６は、例えば、図７に示すように細い針金１７を楕円状に屈曲して成形され、そのほぼ中央部の一方の針金を切断すると共にその一方の端部を掛止部１８とし、前記楕円状の針金１７の中央部に両端側が各針金１７に巻き付くように折り曲げられる固定板１９を設けて形成される。そして、掛止部１８が、固定板１９の一方の捲付き部１９ａに係脱自在に係止できるようになっている。また、各昇降コード１５の上下端部の係止具１６，１６が、生地本体１の上下端に位置する各ガイド環７，７にそれぞれ挿通して取着される。これにより、カーテン生地２０が完成する。
【００１７】
ローマンシエード２１は図５に示すように前記カーテン生地２０と該カーテン生地２０を吊り下げる吊り杆２２とから構成されており、次に、該吊り杆２２について説明する。一般に、ローマンシエード２１は室内の窓枠等の壁の開口部（図示せず。）に装着され、吊り杆２２はその開口部の上縁に水平に取り付けられる。また、カーテン生地２０は、吊り杆２２の一側面（部屋側）に剥離自在に接合して装着される。この場合、カーテン生地２０は、部屋側を表面とし窓側を裏面１ａとして吊り下げられ、吊り杆２２の長手方向の長さ寸法とほぼ同じ横幅寸法を有する縦長長方形状に成形される。
【００１８】
吊り杆２２は、金属製であって図６乃至図８に示すように下方が開口した横断面門型をなす柱状に成形され、側壁２２ａの一側面（部屋側）にその長手方向に沿って雄型の貼り合せファスナー２３が貼着されている。一方、吊り杆２２内に、その中央の長手方向に沿って回動軸２４が水平に配置される。この回動軸２４はその横断面が正六角形状をしており、両端部が吊り杆２２内に取り付けられた一対の軸受部２５，２５に軸支され、自在に回転し得るようになっている。また、回動軸２４にはほぼ等間隔に位置して四個の巻取りドラム２６が取着され、該各巻取りドラム２６に前記昇降コード１５がそれぞれ巻き取られることになる。
【００１９】
図７に示すように、前記各巻取りドラム２６にはその外周面に取付孔２７を有する取付片２８が設けられ、該取付孔２７に補助コード２９の基端側が連結される。この補助コード２９の長さは巻取りドラム２６外周の２〜３倍程度の長さに設定され、その先端部に連結環３０が取着されている。このように、補助コード２９の長さを巻取りドラム２６外周の２〜３倍の寸法に設定したのは、昇降コード１５の上端を着脱自在に係合させ易くするため、常に補助コード２９の先端が吊り杆２２の下端縁から下方へ少しの寸法分食み出させておく必要があるからである。
【００２０】
各巻取りドラム２６は軸孔２６ａの内周面が回動軸２４における正六角形の外周面に当接するようになっており、これによって、回動軸２４の回動と共に巻取りドラム２６が回動する。また、各巻取りドラム２６は吊り杆２２の内周面に固定される受承枠３１内に配置され、巻取りドラム２６両端の円筒部２６ｂ，２６ｂが受承枠３１両端の軸受凹部３２，３２に嵌入して支持される。このように、受承枠３１で巻取りドラム２６を支持するのは、昇降コード１５を介して巻取りドラム２６に大きい荷重が加わることから、これによって回動軸２４が無用に撓まないようにするためである。
【００２１】
図８に示すように、一方の軸受部２５の外側であって回動軸２４の端部にスプロケット３３が固着されている。該スプロケット３３の外周面には嵌合凹部３４が周設され、各嵌合凹部３４に数珠状の多数の塊状部３５が順に嵌り込む無端状のチエン３６が掛けられている。スプロケット３３は周囲を両側が開放するカバー３７により覆われ、スプロケット３３に掛けられたチエン３６がカーテン生地２０の外側に位置するようになっている。
【００２２】
吊り杆２２は上記構成からなり、該吊り杆２２の一側面（部屋側）における雄型の貼り合せファスナー２３にカーテン生地２０における裏面１ａ上端の雌型の貼り合せファスナー４を貼り合せてカーテン生地２０を吊るす。そして、前記各昇降コード１５の上端に設けられた係止具１６をそのガイド環７から外し、該ガイド環７に昇降コード１５を挿通したまま各補助コード２９下端の連結環３０に係止具１６を係止させる。この状態で、チエン３６を正逆回転させれば各巻取りドラム２６が回動し、各昇降コード１５が巻取りまたは巻戻しされることになり、これによってカーテン生地２０が上下に自在に折り畳められる。
【００２３】
特に、このローマンシエード２１にあっては、カーテン生地２０を汚れのため洗濯する際に該カーテン生地２０が容易に脱着できるようにしている。すなわち、図９、図１０に示すように、各巻取りドラム２６から垂下される補助コード２９の連結環３０から昇降コード１５の上端の係止具１６を外す。この際、外した係止具１６は、そのままガイド環群１４の上端位置のガイド環７に係合しておく。これにより、各昇降コード１５はその上下両端がそれぞれ係止具１６を介して上下位置のガイド環７，７に係止されて外れることがなく、カーテン生地２０の洗濯中に昇降コード１５がガイド環群１４から抜け出てしまうのを防止できる。
【００２４】
次に、袋状部５からウエイトバー６を取り出しておき、この状態で雌型の貼り合せファスナー４を雄型の貼り合せファスナー２３から引き剥がして吊り杆２２からカーテン生地２０を外す。そして、各昇降コード１５を付けたままカーテン生地２０を洗濯する。
【００２５】
カーテン生地２０の洗濯を終え乾燥した後は、吊り杆２２の雄型の貼り合せファスナー２３に雌型の貼り合せファスナー４を貼り合わせて吊り杆２２にカーテン生地２０を吊す。また、ウエイトバー６を袋状部５に戻す。そして、図１０に示すように各昇降コード１５上端の係止具１６を各ガイド環７から外し、再び、各補助コード２９の連結環３０に係合して連結する。
【００２６】
このように、昇降コード１５の上端を巻取りドラム２６側とは分離し、昇降コード１５の上端に巻取りドラム２６側に着脱自在に係合し得る係止具１６を設けているので、吊り杆２２からカーテン生地２０を取り外す際に、各昇降コード１５先端の係止具１６を外すのみで、カーテン生地２０を外すことができることになる。よって、洗濯する際のカーテン生地２０の脱着作業及び窓とカーテン生地２０という狭い隙間における取付作業が簡単かつ時間を掛けずに能率良く行なえる。
【００２７】
本発明に係るローマンシエードのカーテン生地２０は、生地本体１の裏面１ａに上下方向に沿って縦方向を向く複数本の縦糸２ａが束としてその裏面１ａ側へ浮き上がるように形成される浮糸部２を複数設け、該各浮糸部２に昇降コード１５を挿通するためのガイド環７を着脱自在に取着したので、ガイド環７に浮糸部２を直接挿通するのみで該ガイド環７が取着できることになる。よって、従来のようにガイド環をリングテープに縫着したり、該リングテープを生地本体に縫着するといった面倒な作業を一切必要としないことから、カーテン生地２０の製作が極めて容易であって楽になる。しかも、その製作時間も大幅に短縮されるばかりか、製作コストもかなり低廉になし得る。
【００２８】
また、上記説明では浮糸部群３を４列設けたが、これは生地本体１の横幅間の寸法により決められるもので、横幅が広くなれば浮糸部群３を５列、６列と増やすようにする。
【００２９】
生地本体１として織物生地を使用した場合を説明したが、生地本体として他に例えばレース生地を使用しても良い。図１１（イ）はレース生地からなる生地本体の一部拡大斜視図、図１１（ロ）は同一部拡大断面図である。この場合は、レース生地である生地本体４１の裏面４１ａに上下方向に沿って縦方向に絡み合わさる複数本の柄糸４２が束としてその裏面４１ａ側へ浮き上がるように形成される浮糸部４３が設けられ、これらに昇降コード１５を挿通するためのガイド環７が着脱自在に取着されることになる。詳しい説明は省略するが、このような構成であっても前記織物生地からなる生地本体１と同様な作用及び効果を得ることができる。
【図面の簡単な説明】
【００３０】
【図１】本発明に係る生地本体の裏面斜視図。
【図２】（イ）は生地本体の裏面の一部拡大斜視図、（ロ）は同一部拡大断面図。
【図３】ガイド環の斜視図。
【図４】浮糸部をガイド環に挿通した状態の斜視図。
【図５】本発明が適用されるローマンシエードの斜視図。
【図６】同吊り杆部位の正面断面図。
【図７】図６のＸ−Ｘ線断面図。
【図８】図６のＹ−Ｙ線断面図。
【図９】昇降コードを巻取りドラムから外す状態のカーテン生地の正面図。
【図１０】同一部の拡大正面図。
【図１１】（イ）はレース生地からなる生地本体の裏面の一部拡大斜視図、（ロ）は同一部拡大断面図。
【符号の説明】
【００３１】
１            生地本体
１ａ          一側面（裏面）
２            浮糸部
２ａ          縦糸
７            ガイド環
１５          昇降コード
２０          カーテン生地
２１          ローマンシエード
４１          生地本体
４１ａ        一側面（裏面）
４２          柄糸
４３          浮糸部
Ｓ            横隙間
【図１】
2010029271.tif 000003
【図２】
2010029271.tif 000004
【図３】
2010029271.tif 000005
【図４】
2010029271.tif 000006
【図５】
2010029271.tif 000007
【図６】
2010029271.tif 000008
【図７】
2010029271.tif 000009
【図８】
2010029271.tif 000010
【図９】
2010029271.tif 000011
【図１０】
2010029271.tif 000012
【図１１】
2010029271.tif 000013